(57)【要約】      （修正有）【課題】キャビネット本体の開口を可及的に広く開放することができるトイレ用キャビネットを提供する。【解決手段】トイレ用キャビネット１３は、内部に収容空間を有しかつ前面が開口したキャビネット本体３０と、キャビネット本体３０の開口を閉鎖する左右２枚の第１扉３１及び第２扉３２と、第１扉３１を、第２扉３２から離れる方向へ左右方向にスライド移動可能にキャビネット本体３０に連結する第１連結具３４と、第２扉３２における第１扉３１側とは反対側の端部を上下方向の軸心回りに回動自在に支持する第２連結具３５とを備えている。【選択図】図５
2019004977.tif 000002
【特許請求の範囲】
【請求項１】
内部に収容空間を有しかつ前面が開口したキャビネット本体と、
前記キャビネット本体の開口を閉鎖する左右２枚の第１扉及び第２扉と、
前記第１扉を、前記第２扉から離れる方向へ左右方向にスライド移動可能に前記キャビネット本体に連結する第１連結具と、
前記第２扉における前記第１扉側とは反対側の端部を上下方向の軸心回りに回動自在に支持する第２連結具と、を備えている、トイレ用キャビネット。
【請求項２】
前記第２扉の開度を、便器と干渉しない開度に制限する規制部材をさらに備えている、請求項１に記載のトイレ用キャビネット。
【請求項３】
前記第２扉の左右方向の幅が、前記第１扉の左右方向の幅よりも小さい、請求項１又は２に記載のトイレ用キャビネット。
【請求項４】
前記収容空間は、当該キャビネット本体内の左右方向の全幅に渡って連続している、請求項１〜３のいずれか１項に記載のトイレ用キャビネット。
【発明の詳細な説明】
【技術分野】
【０００１】
本発明は、トイレ内に設置されるトイレ用キャビネットに関する。
【背景技術】
【０００２】
特許文献１には、トイレ内において便器の側方に設置されるキャビネットが開示されている。このキャビネットは、内部に収容空間を有しかつ前面が開口したキャビネット本体と、キャビネット本体の開口を閉鎖する左右の２枚の第１及び第２扉とを備え、キャビネット本体の前面開口が便器側に向くようにトイレ内に設置される。
【０００３】
このようにトイレ内に設置されるキャビネットにおいては、キャビネット本体の前方に便器が配置されるため、第１扉及び第２扉を開くためのスペースが制限される。そのため、特許文献１のキャビネットは、便器の手前側に配置される第１扉が、キャビネット本体の前面側へスイングしつつ第２扉から離れる方向にスライドすることでキャビネット本体の開口を開き、便器の奥側に配置される第２扉は、第１扉を開いた後にもともと第１扉があった位置へ向けてスライドすることでキャビネット本体の開口を開くように構成されている。
【先行技術文献】
【特許文献】
【０００４】
【特許文献１】特開２０１０−１２５０６２号公報
【発明の概要】
【発明が解決しようとする課題】
【０００５】
特許文献１に記載されたキャビネットは、第１扉を開かなければ第２扉を開くことができない。また、第２扉を開くと第１扉が開放した領域は第２扉によって塞がれてしまう。そのため、キャビネット本体の開口を広く開放することが困難である。
【０００６】
本発明は、上記の実情に鑑みてなされたものであり、キャビネット本体の開口を可及的に広く開放することができるトイレ用キャビネットを提供することを目的とする。
【課題を解決するための手段】
【０００７】
（１）本発明に係るトイレ用キャビネットは、
内部に収容空間を有しかつ前面が開口したキャビネット本体と、
前記キャビネット本体の開口を閉鎖する左右２枚の第１扉及び第２扉と、
前記第１扉を、前記第２扉から離れる方向へ左右方向にスライド移動可能に前記キャビネット本体に連結する第１連結具と、
前記第２扉における前記第１扉側とは反対側の端部を上下方向の軸心回りに回動自在に支持する第２連結具と、を備えている。
【０００８】
上記構成を有するトイレ用キャビネットは、トイレ内の便器の側方に好適に設置することができるものである。特に、便器の手前側に第１扉が、便器の奥側に第２扉がそれぞれ配置されるようにトイレ用キャビネットを設置することによって、第１扉を便器の手前側へ向けてスライド移動させて開くことができ、第２扉を便器側へ揺動させて開くことができる。したがって、第１及び第２扉の双方を同時に開いても一方の扉が他方の扉の開放領域を塞いでしまうことがない。そのため、上記構成のトイレ用キャビネットは、便器の側方に配置された場合でも、キャビネット本体の開口を可及的に広く開放することができる。
【０００９】
（２）好ましくは、前記第２扉の開度を、便器に干渉しない開度に制限する規制部材をさらに備えている。
このような構成によって、第２扉の開き過ぎにより第２扉が便器に干渉してしまうのを防止することができる。
【００１０】
（３）好ましくは、前記第２扉の左右方向の幅が、前記第１扉の左右方向の幅よりも小さい。
このような構成によって、第２扉の開き角度をより大きくすることができ、収容空間内の備品等を取り出しやすくすることができる。
【００１１】
（４）好ましくは、前記収容空間は、当該キャビネット本体内の左右方向の全幅に渡って連続している。
第１扉と第２扉とは、それぞれ互いに離れる方向に移動するため、収容空間を左右方向に区画する区画壁を設けず、当該収容空間をキャビネット本体の左右方向の全幅にわたって連続した形態とすることによって、第１及び第２扉の双方を開いたときに収容空間をより広く用いることができる。
【発明の効果】
【００１２】
本発明によれば、キャビネット本体の開口を可及的に広く開放することができる。
【図面の簡単な説明】
【００１３】
【図１】本発明の一実施形態に係るトイレ用キャビネットを含む手洗いキャビネットの正面図である。
【図２】手洗いキャビネットの斜視図である。
【図３】第１及び第２扉を開いた状態の手洗いキャビネットの斜視図である。
【図４】第３キャビネットの横断面図である。
【図５】第１及び第２扉を開いた状態の第３キャビネットの横断面図である。
【図６】第１連結具の要部を示す平面説明図である。
【図７】図１におけるＡ−Ａ矢視断面図である。
【発明を実施するための形態】
【００１４】
以下、図面を参照しながら好ましい実施の形態について説明する。
図１は、本発明の一実施形態に係るトイレ用キャビネットを含む手洗いキャビネットの正面図である。手洗いキャビネット１０は、第１キャビネット１１、第２キャビネット１２、第３キャビネット１３、カウンター天板１４、及び手洗い器１５を有している。
【００１５】
第１〜第３キャビネット１１〜１３は左右方向に並べて配置されている。
カウンター天板１４は、第１〜第３キャビネット１１〜１３にわたる左右方向の長さを有しており第１〜第３キャビネット１１〜１３の上面に配置されている。
手洗い器１５は、第１キャビネット１１の上方においてカウンター天板１４上に配置されている。
【００１６】
図２及び図３は、手洗いキャビネット１０の斜視図である。
図２及び図３に示すように、手洗いキャビネット１０は、トイレ室５０内の側壁５１に沿って配置されている。また、第３キャビネット１３は、トイレ室５０内の奥側の壁５２に突き合わされている。トイレ室５０内の壁５２の手前にはタンク５４付きの便器５３が設置されている。なお、以下の説明において、便器５３の座面５３ａ側を手前側、タンク５４側を奥側という。また、第１〜第３キャビネット１１〜１３が並ぶ方向を左右方向といい、この左右方向に直交する水平方向を前後方向という。したがって、キャビネット１０がトイレ室５０に設置されている状態では、便器５３の手前側〜奥側の方向が、キャビネット１０の左右方向と一致する。
【００１７】
第１キャビネット１１は、内部に収容空間を有し前面に開口する第１キャビネット本体２１と、第１キャビネット本体２１の前面開口を塞ぐ１枚の扉２２とを有する。第１キャビネット本体２１内は、手洗い器１５の水栓１５ａに繋がる給水管や手洗い器１５に接続される排水管が収容されている。また、第１キャビネット本体２１内には、洗剤等の備品も収容することができる。
【００１８】
第２キャビネット１２は、内部に収容空間を有し前面が開口する第２キャビネット本体２４と、この第２キャビネット本体２４の前面開口を閉鎖する１枚の扉２５とを有する。第２キャビネット本体２４は、仕切り板２６によって上下に区画されており、下側の領域が扉２５によって閉鎖されている。第２キャビネット本体２４の上側の領域は、前方に開放されており、当該領域には、トイレットペーパーを保持するためのペーパーホルダー２７と、スピーカー２８とが設けられている。
【００１９】
第３キャビネット１３は、内部に収容空間を有し前面が開口する第３キャビネット本体３０と、この第３キャビネット本体３０の前面開口を閉鎖する２枚の扉３１，３２とを有する。以下、第３キャビネット１３を正面から見て左側の扉を第１扉３１といい、右側の扉を第２扉３２という。便器５３を基準にすると、第１扉３１が便器５３の手前側に配置され、第２扉３２が便器５３の奥側に配置されることになる。
【００２０】
図４は、第３キャビネット（トイレ用キャビネット）１３の横断面図である。また、図５は、第１及び第２扉３１，３２を開いた状態の第３キャビネット１３の横断面図である。
第１扉３１は、第１連結具３４によって第３キャビネット本体３０の左端の壁部３０ａに取り付けられている。第２扉３２は第２連結具３５によって第３キャビネット本体３０の右端の壁部３０ｂに取り付けられている。
【００２１】
第１連結具３４は、一端が左壁部３０ａに回動自在に連結され、他端が第１扉３１に回動自在に連結された複数のアーム（リンク）３４ａ，３４ｂ，３４ｃを有している。各アーム３４ａ，３４ｂ，３４ｃは、いわゆる平行リンクを構成している。そして、第１扉３１は、その左右方向の姿勢を維持したまま、前側（便器５３側）にやや移動しながら第２扉３２から離れる左方向に向けてスライドし、第３キャビネット本体３０の前面を開放する。なお、第１連結具３４は、図示されたものに限らず、平行リンクを構成する２又はそれ以上のアームを備えたものであればよく、一般的に使用されている汎用品を用いることができる。また、第１連結具３４は、平行リングに限らず、第１扉３１を第２扉３２から離れる方向にスライドさせて開くものであれば特に限定されない。
【００２２】
なお、図６に示すように、第１扉３１を開く際の各アーム３４ａ，３４ｂ，３４ｃの回動量は、いずれかのアーム３４ｂが当接するストッパ部材３６によって制限される。このようなストッパ部材３６を第１連結具３４に設けることによって、アーム３４ａ，３４ｂ，３４ｃが隣接する扉２５等に接触するのを防止することができる。また、このようなストッパ部材３６を第１連結具３４に付加的に設けることによって、第１連結具３４として市販等されている汎用品を用い、第１扉３１の所望の開度に応じたストッパ部材３６を設けることで、第３キャビネット１３専用の第１連結具３４を製作する必要が無くなり、第３キャビネット１３の製造コストの低減を図ることができる。
【００２３】
一方、第２連結具３５は、いわゆる蝶番であり、第２扉３２の右端部を上下方向の軸心回りに回動自在に支持する。したがって、第２扉３２は、第１扉３１側の左端部が前方へ略円弧状に揺動することによって第３キャビネット本体３０の前面を開放する。
【００２４】
以上のように、本実施形態の第３キャビネット１３は、第１扉３１と第２扉３２との開放の形態が異なっており、第１扉３１が第２扉３２から離れる方向にスライドするのに対して、第２扉３２は、第１扉３１側の端部が前方へ揺動する。そのため、双方の扉３１，３２を同時に開放することができ、かつ、双方の扉３１，３２を同時に開いたときに、一方の扉が他方の扉の開放領域を塞いでしまうことがない。そのため、キャビネット本体の前面開口を広く開放することができる。
【００２５】
仮に、第２扉３２と略同様に、第１扉３１の第２扉３２側の端部を前方に揺動させる構成を採用したとすると、第１扉３１を開いたとしても便器５３の手前側から第３キャビネット本体３０内にアクセスし難くなるが、本実施形態のように第１扉３１を第２扉３２から離れる方向にスライドさせることで、便器５３の手前側からでも第３キャビネット本体３０内にアクセスしやすくなっている。
【００２６】
第１扉３１は第３キャビネット本体３０の左壁部３０ａに、第２扉３２は第３キャビネット本体３０の右壁部３０ｂにそれぞれ連結具３４，３５を介して連結されているので、左壁部３０ａと右壁部３０ｂとの間には、第１扉３１又は第２扉３２を支持するために壁部を設ける必要がない。そのため、第３キャビネット本体３０内の収納空間を、第３キャビネット本体３０内の左右方向の幅全体にわたって連続した空間とすることができ、第３キャビネット本体３０内を広く活用することができる。
【００２７】
第２扉３２と第３キャビネット本体３０との間には、第２扉３２の開放角度を制限する規制具３７が設けられている。この規制具３７は、一端部が第２扉３２側に上下方向の軸心回りに回動自在に連結された第１部材３７ａと、一端部が第３キャビネット本体３０側に上下方向の軸心回りに回動自在に連結された第２部材３７ｂとを備え、第１部材３７ａの他端部と第２部材３７ｂの他端部とが上下方向の軸心回りに回動自在に連結されている。したがって、規制具３７は、第２扉３２を開閉することによって第１部材３７ａと第２部材３７ｂとの相対角度が変化する。
【００２８】
また、第１部材３７ａと第２部材３７ｂとは、互いの相対角度が広がる方向への回動が所定角度で制限されている。そのため、第２扉３２は、第１部材３７ａと第２部材３７ｂとの相対角度が制限されたところで開放角度が制限される。このような規制具３７を設けることによって、第２扉３２を便器５３と干渉させることなく可及的に大きく開放することができる。なお、規制具３７は、第２扉３２の開放角度を制限する機能を達成できればよく、図示されたものに限定されるものではない。例えば、第２扉３２の開閉に応じて折れ曲がるものに限らず、伸縮するもの等を用いることができる。
【００２９】
図１に示すように、第２扉３２は、その左右方向の幅Ｗ２が第１扉３１の左右方向の幅Ｗ１よりも小さく形成されている。そのため、図５に示すように、便器５３と干渉しない位置まで第２扉３２を開いたときの第２扉３２の開放角度を可及的に大きくすることができる。なお、図５には、比較例として、幅を大きくした場合の第２扉３２’を２点鎖線で示している。このように第２扉３２の幅Ｗ２を第１扉３１の幅Ｗ１よりも小さくすることによって、第３キャビネット本体３０内の収容空間の右端（トイレ室５０の奥側）の領域Ｒへのアクセスが容易となり、第３キャビネット本体３０の収容空間を効果的に活用することができる。
【００３０】
図７は、図１におけるＡ−Ａ矢視断面図である。図７に示すように、第２キャビネット１２における仕切り板２６の上側の収容空間１２ａにおいて、ペーパーホルダー２７の下側にはスピーカー２８が設けられている。仕切り板２６よりも上側の収容空間１２ａには、上下方向に沿って配置された背面板１２ｂが設けられており、この背面板１２ｂにスピーカー２８が取り付けられている。背面板１２ｂは、金属製の板材であり、その表面にはガラス質の釉薬を焼き付ける処理（ホーロー処理）等の表面処理が施されている。
【００３１】
スピーカー２８は、いわゆる振動スピーカーであり、背面板１２ｂを振動させることによって音を鳴らすものである。スピーカー２８は、トイレ室５０内に設置された音楽又は映像を再生するためのプレーヤーや、利用者が持参した携帯型プレーヤー等に有線又は無線により接続される。また、スピーカー２８は、収容空間１２ａの背面板１２ｂに取り付けられるため、背面板１２ｂの振動により発生した音は、収容空間１２ａを囲む壁に伝わって前方へ放出される。
【００３２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
例えば、上記実施形態では、手洗い器１５を含む３台のキャビネット１１〜１３が左右方向に並べられ、そのうちの一つが本発明のトイレ用キャビネット１３とされていたが、本発明のトイレ用キャビネット１３が単独でトイレ室５０に設置されていてもよい。
上記実施形態では、便器を正面から見たときの左側方にトイレ用キャビネット１３が配置されていたが、右側方に配置されていてもよい。
【符号の説明】
【００３３】
１３    ：第３キャビネット（トイレ用キャビネット）
３０    ：第３キャビネット本体
３１    ：第１扉
３２    ：第２扉
３４    ：第１連結具
３５    ：第２連結具
５０    ：トイレ室
５３    ：便器
Ｗ１    ：第１扉の幅
Ｗ２    ：第２扉の幅
【図１】
2019004977.tif 000003
【図２】
2019004977.tif 000004
【図３】
2019004977.tif 000005
【図４】
2019004977.tif 000006
【図５】
2019004977.tif 000007
【図６】
2019004977.tif 000008
【図７】
2019004977.tif 000009